(57)【要約】      （修正有）【課題】保存する食材が粒状のものである場合であっても、蓋の開口部を完全に閉めることが可能な計量機能付き保存容器を提供する。【解決手段】保存容器１０００は、上部が開口している保存容器本体１１００と、保存容器本体に対して取り外し可能に取り付けられる蓋１２００と、からなる。保存容器本体は、側壁１１０３の上端に切り欠き部１１０５を有する第一収容室１１０１と、切り欠き部を通じて第一収容室と連通している第二収容室１１０２と、を備え、蓋は、保存容器本体に取り付けたときに第二収容室の上方に位置する第一開口部１２０１を有する蓋本体１２１０と、第一開口部を開閉する開閉蓋部材と、を備える。開閉蓋部材は、第一開口部を塞ぐ第一位置と、第一開口部を開口させ、かつ、切り欠き部を閉じ、第二収容室の第二開口部を第一開口部と連通させる第二位置との間をスライド自在に蓋本体に取り付けられている。【選択図】図１
0003152987.tif 000002
【実用新案登録請求の範囲】
【請求項１】
保存してある内容物の計量機能を有する保存容器であって、
上部が開口している保存容器本体と、
前記保存容器本体に対して取り外し可能であるように前記保存容器本体に取り付けられる蓋と、
からなり、
前記保存容器本体は、
側壁の上端に切り欠き部を有する第一収容室と、
前記切り欠き部を通じて前記第一収容室と連通している第二収容室と、
を備え、
前記蓋は、
前記保存容器本体に取り付けたときに前記第二収容室の上方に位置する第一開口部を有する蓋本体と、前記第一開口部を開閉する開閉蓋部材と、を備え、
前記第二収容室は、前記切り欠き部と連通し、かつ、前記第一開口部と連通している第二開口部を有し、
前記開閉蓋部材は、前記第一開口部を塞ぐ第一位置と、前記第一開口部を開口させ、かつ、前記切り欠き部を閉じ、前記第二開口部を前記第一開口部と連通させる第二位置との間をスライド自在であるように、前記蓋本体に取り付けられている保存容器。
【請求項２】
前記第一開口部は水平面に対して傾斜した面内に形成されており、
前記開閉蓋部材は、前記第一位置において前記第一開口部を塞ぐ傾斜面と、前記傾斜面の下方に形成され、前記第二位置において前記切り欠き部を閉じる垂直面と、を備えていることを特徴とする請求項１に記載の保存容器。
【請求項３】
前記第二収容室の内部において前記保存容器本体に対して着脱自在に取り付けられ、前記第二収容室の内部の容量を調整する容量調整部材をさらに備えていることを特徴とする請求項１または２に記載の保存容器。
【考案の詳細な説明】
【技術分野】
【０００１】
本考案は、食材その他の保存物を保存することができるとともに、その保存物の所定量を計量する機能を有する保存容器に関する。
【背景技術】
【０００２】
例えば、米、麦、豆類などの食材を保存する従来の保存容器はそれらの食材を保存する機能しか有しておらず、それらの食材の所定量を計量するためには、計量カップその他の計量器を別個に用意することが必要であった。
【０００３】
このため、例えば、実用新案登録第３１２６２７５号公報においては、所定量の保存物を計量することができる計量機能付き保存容器が提案されている。
【０００４】
図４は同公報に記載されている保存容器１００の平面図、図５は保存容器１００の側面図、図６は図４のＸ−Ｘ線における断面図である。
【０００５】
保存容器１００は、上部が開口している保存容器本体１１０と、保存容器本体１１０の開口している上部に対して取り外し可能に保存容器本体１１０に取り付けられる蓋１２０と、から構成されている。
【０００６】
図６に示すように、保存容器本体１１０は第一収容室１１１と第二収容室１１２とを備えている。第一収容室１１１の一方の側壁１１３は、側壁１１３に対向する他方の側壁１１４と比較して、高さが低くなっている。すなわち、側壁１１３の上端１１３ａには切り欠き部１１５が形成されている。
【０００７】
第一収容室１１１には、米その他の食材１３０が収納されている。
【０００８】
第二収容室１１２は第一収容室１１１に隣接して設けられており、切り欠き部１１５を介して第一収容室１１１と連通している。
【０００９】
第二収容室１１２の容積は第一収容室１１１の容積よりも小さく設定されている。
【００１０】
蓋１２０は第一収容室１１１及び第二収容室１１２を覆う大きさを有しており、図６に示すように、第二収容室１１２の上方において、第一開口部１２１（後述する図７（Ｄ）参照）を有している。
【００１１】
蓋１２０は、第一開口部１２１を開閉する開閉蓋部材１２２と、開閉蓋部材１２２を所定の方向に付勢する付勢部材１２３と、を備えている。
【００１２】
第二収容室１１２は、第一収容室１１１の切り欠き部１１５と連通し、かつ、蓋１２０の第一開口部１２１と連通している第二開口部１１６を有している。
【００１３】
上述のように、第二開口部１１６は第一開口部１２１の直下に位置している。
【００１４】
開閉蓋部材１２２は蓋１２０に対して回動自在であるように蓋１２０に取り付けられている。すなわち、開閉蓋部材１２２は、その基端において、蓋１２０の第一開口部１２１の一方の縁（第一収容室１１１に近い方の縁）に回動自在に取り付けられている。個ため、開閉蓋部材１２２は、蓋１２０の第一開口部１２１を塞ぐ第一位置（図６は第一位置にある開閉蓋部材１２２を示している）と、蓋１２０を保存容器本体１１０に対して取り付けたときに切り欠き部１１５を塞ぐ第二位置（後述する図７（Ｅ）に示す位置）との間を回動する。
【００１５】
付勢部材１２３は渦巻きバネからなり、開閉蓋部材１２２を常にその第一位置に向けて付勢している。
【００１６】
開閉蓋部材１２２の先端はクランク状に段差が形成されている。
【００１７】
このため、開閉蓋部材１２２は、その先端において、第一位置においては、蓋１２０の第一開口部１２１の他方の縁１２０ａに係止可能である。開閉蓋部材１２２は第一開口部１２１の縁１２０ａに係止することにより、付勢部材１２３からの付勢力を受けて、第一位置に維持される。
【００１８】
また、開閉蓋部材１２２は、その先端において、第二位置においては、第一収容室１１１の側壁１１３の上端１１３ａに係止可能である。開閉蓋部材１２２は第一収容室１１１の側壁１１３の上端１１３ａに係止することにより、付勢部材１２３からの付勢力を受けて、第二位置に維持される。
【００１９】
図７（Ａ）乃至図７（Ｇ）は保存容器１００の使用方法を示す保存容器１００の断面図である。
【００２０】
まず、蓋１２０を保存容器本体１１０から外し、第一収容室１１１の中に食材１３０（例えば、米）を入れる。この際、第二収容室１１２の中には食材１３０は入れない。
【００２１】
次いで、図７（Ａ）に示すように、保存容器本体１１０に蓋１２０を取り付ける。この状態では、保存容器１００は通常の状態（蓋１２０を上にした状態）で置かれており、開閉蓋部材１２２は第一位置にある。
【００２２】
次いで、図７（Ｂ）に示すように、保存容器１００を傾け、第二収容室１１２が食材１３０で満たされる程度に第一収容室１１１の中の食材１３０を第二収容室１１２の中に移動させる。
【００２３】
次いで、図７（Ｃ）に示すように、保存容器１００を通常の状態（蓋１２０を上にした状態）に戻す。この状態においては、第二収容室１１２は食材１３０で満たされている。
【００２４】
次いで、図７（Ｄ）に示すように、開閉蓋部材１２２を第一位置から第二位置に向けて回動させる。
【００２５】
開閉蓋部材１２２が第二位置に到達したら、図７（Ｅ）に示すように、開閉蓋部材１２２の先端を第一収容室１１１の側壁１１３の上端１１３ａに係止させ、開閉蓋部材１２２を第二位置に静止させる。
【００２６】
開閉蓋部材１２２が第一位置から第二位置まで回動することに伴って、第二収容室１１２に満たされていた食材１３０の一部は、回動する開閉蓋部材１２２により、第二収容室１１２から第一収容室１１１に押し戻される。この結果、第二収容室１１２には所定量（第二収容室１１２の容積に相当する量）の食材１３０が残される。
【００２７】
さらに、開閉蓋部材１２２が第二位置に維持されている状態においては、第二収容室１１２の第二開口部１１６は蓋１２０に形成されている第一開口部１２１と連通している状態にある。
【００２８】
次いで、図７（Ｆ）に示すように、第二収容室１１２を下方に傾け、第二収容室１１２の中の食材１３０を容器１４０に移す。
【００２９】
例えば、第二収容室１１２の容積を一合に設定しておけば、一合の米を容積１４０に移すことができる。
【００３０】
その後、図７（Ｇ）に示すように、保存容器１００を通常の状態（蓋１２０を上にした状態）に戻す。この状態においては、第一収容室１１１の中の食材１３０の量は、当初の量（図７（Ａ）の状態における量）と比較して、第二収容室１１２の容積に対応する量だけ、減少している。
【００３１】
以上のように、保存容器１００によれば、食材１３０を保存するのみならず、所定量（第二収容室１１２の容積に相当する量）の食材１３０を取り出すことができる。このため、保存容器とは別に計量カップその他の計量器具を用意する必要がない。
【考案の概要】
【考案が解決しようとする課題】
【００３２】
しかしながら、上記の保存容器１００には次のような問題点があった。
【００３３】
食材１３０を容器１４０に落とした後、図７（Ｇ）に示すように保存容器１００を元の状態にするとき、食材１３０が粒状である場合（例えば、食材１３０が米粒である場合）に、食材１３０が第一開口部１２１の縁１２０ａに付着してしまうことがある。そのような場合、開閉蓋部材１２２が完全に閉まらなくなる。開閉蓋部材１２２が完全に閉まらないと、外部の湿気が保存容器１００の内部に流入したりする二次的な問題が発生する。
【００３４】
本考案はこのような問題点に鑑みてなされたものであり、食材が粒状のものである場合であっても、蓋の開口部を完全に閉めることが可能な計量機能付き保存容器を提供することを目的とする。
【課題を解決するための手段】
【００３５】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００３６】
上記の目的を達成するため、本考案は、保存してある内容物の計量機能を有する保存容器（１０００）であって、上部が開口している保存容器本体（１１００）と、前記保存容器本体（１１００）に対して取り外し可能であるように前記保存容器本体（１１００）に取り付けられる蓋（１２００）と、からなり、前記保存容器本体（１１００）は、側壁（１１０３）の上端に切り欠き部（１１０５）を有する第一収容室（１１０１）と、前記切り欠き部（１１０５）を通じて前記第一収容室（１１０１）と連通している第二収容室（１１０２）と、を備え、前記蓋（１２００）は、前記保存容器本体（１１００）に取り付けたときに前記第二収容室（１１０２）の上方に位置する第一開口部（１２０１）を有する蓋本体（１２１０）と、前記第一開口部（１２０１）を開閉する開閉蓋部材（１２２０）と、を備え、前記第二収容室（１１０２）は、前記切り欠き部（１１０５）と連通し、かつ、前記第一開口部（１２０１）と連通している第二開口部（１１０６）を有し、前記開閉蓋部材（１２２０）は、前記第一開口部（１２０１）を塞ぐ第一位置と、前記第一開口部（１２０１）を開口させ、かつ、前記切り欠き部（１１０５）を閉じ、前記第二開口部（１１０６）を前記第一開口部（１２０１）と連通させる第二位置との間をスライド自在であるように、前記蓋本体（１２１０）に取り付けられている保存容器（１０００）を提供する。
【００３７】
前記開閉蓋部材（１２２０）は、例えば、前記第一開口部（１２０１）が水平面に対して傾斜した面内に形成されている場合に、前記第一位置において前記第一開口部（１２０１）を塞ぐ傾斜面（１２２１）と、前記傾斜面（１２２１）の下方に形成され、前記第二位置において前記切り欠き部（１１０５）を閉じる垂直面（１２２４）と、を備えているものとして構成することができる。
【００３８】
本考案に係る保存容器（２０００）は、前記第二収容室（１１０２）の内部において前記保存容器本体（１１００）に対して着脱自在に取り付けられ、前記第二収容室（１１０２）の内部の容量を調整する容量調整部材（２０１０）をさらに備えることが好ましい。
【考案の効果】
【００３９】
本考案に係る保存容器によれば、蓋本体の第一開口部は開閉蓋部材のスライドに応じて開閉する。このため、従来の保存容器とは異なり、第一開口部の周縁において粒状の食材（特に、米）が挟まったまま付着することはなくなり、蓋本体の第一開口部を開閉蓋部材により完全に閉じておくことが可能になる。
【図面の簡単な説明】
【００４０】
【図１】図１は本考案の第一の実施形態に係る保存容器の斜視図である。
【図２】図２は開閉蓋部材の斜視図である。
【図３】図３（Ａ）は蓋を容器本体に対して取り付けた状態において第一位置にある状態を示す断面図であり、図３（Ｂ）は蓋を容器本体に対して取り付けた状態において第二位置にある状態を示す断面図である。
【図４】図４は従来の保存容器の平面図である。
【図５】図５は図４に示す従来の保存容器の側面図である。
【図６】図６は図４のＸ−Ｘ線における断面図である。
【図７】図７（Ａ）−（Ｇ）は図４に示す従来の保存容器の使用方法を示す同保存容器の断面図である。
【図８】図８は本考案の第二の実施形態に係る保存容器の部分的な斜視図である。
【図９】図９は本考案の第二の実施形態に係る保存容器の部分的な斜視図である。
【考案を実施するための形態】
【００４１】
（第一の実施形態）
図１は本考案の第一の実施形態に係る保存容器１０００の斜視図である。
【００４２】
本考案の第一の実施形態に係る保存容器１０００は、図１に示すように、上部が開口している保存容器本体１１００と、保存容器本体１１００の開口している上部に対して取り外し可能に保存容器本体１１００に取り付けられる蓋１２００と、から構成されている。
【００４３】
例えば、保存容器本体１１００は透明のプラスチック製であり、蓋１２００は樹脂製である。
【００４４】
蓋１２００は保存容器本体１１００に取り付けた後、適当な固定具で固定される。ただし、この固定具は解除可能である。
【００４５】
図１に示すように、保存容器本体１１００は第一収容室１１０１と第二収容室１１０２とを備えている。第一収容室１１０１及び第二収容室１１０２はいずれも直方体形状をなしている。
【００４６】
第一収容室１１１０の一方の側壁１１０３は、側壁１１０３に対向する他方の側壁１１０４と比較して、高さが低くなっている。すなわち、側壁１１０３の上端１１０３ａには、側壁１１０４の高さと対比して、切り欠き部１１０５が形成されている。側壁１１０３はこの切り欠き部１１０５の分だけ側壁１１０４によりも低い。
【００４７】
第一収容室１１１には、食材（図示せず）として、例えば、米が収納されている。
【００４８】
後述するように、食材は第一収容室１１０１の切り欠き部１１０５を通過して、第二収容室１１０２に移動する。
【００４９】
第二収容室１１０２は第一収容室１１０１に隣接して設けられており、その上部において、切り欠き部１１０５を介して第一収容室１１０１と連通している。
【００５０】
第二収容室１１０２の容積は第一収容室１１０１の容積よりも小さく設定されている。後述するように、第二収容室１１０２の容積にほぼ等しい量の食材を計量し、保存容器１０００から取り出すことができる。
【００５１】
蓋１２００は、蓋本体１２１０と、開閉蓋部材１２２０と、から構成されている。
【００５２】
図２は、開閉蓋部材１２２０の斜視図である。図３（Ａ）は蓋１２００を容器本体１１００に対して取り付けた状態において第一位置にある状態を示す断面図、図３（Ｂ）は蓋１２００を容器本体１１００に対して取り付けた状態において第二位置にある状態を示す断面図である。
【００５３】
蓋本体１２１０は、図１に示すように、水平面に対してほぼ４５度の角度をなす斜面１２１１と、斜面１２１１の上端と連続する上面１２１２と、斜面１２１１及び上面１２１２の双方に連続する一対の側壁１２１３と、一対の側壁１２１３に渡って上面１２１２の上方に延びる把手１２１４と、から構成されている（なお、図３（Ａ）及び図３（Ｂ）においては把手１２１４は省略してある）。
【００５４】
蓋本体１２１０は樹脂を一体成型してつくられたものである。
【００５５】
蓋本体１２１０の斜面１２１１には、図３（Ｂ）に示すように、蓋１２００を保存容器本体１１００に取り付けたときに第二収容室１１０２の上方に位置する第一開口部１２０１が形成されている。
【００５６】
また、蓋本体１２１０の上面１２１２には、容器本体１１００の横方向（第一収容室１１０１と第二収容室１１０２とを結ぶ方向）に延びる横穴１２０２が形成されている（図１においては横穴１２０２の一部のみが図示されている）。
【００５７】
開閉蓋部材１２２０は蓋本体１２１０の内面に沿ってスライド自在であるように形成されている。
【００５８】
図２に示すように、開閉蓋部材１２２０は、水平面に対してほぼ４５度の角度をなす傾斜面１２２１と、傾斜面１２２１の上端と連続する上面１２２２と、斜面１２２１及び上面１２２２の双方に連続する一対の側壁１２２３と、傾斜面１２２１の前端からやや後方の位置において傾斜面１２２１の内面側から下方に垂直に延びる垂直面１２２４と、ほぼ長方形状をなすスライド用プレート１２２５と、上面１２２２とスライド用プレート１２２５とが一定の距離を隔てるように上面１２２２とスライド用プレート１２２５との間に形成された円柱状のスペーサー１２２６（図３（Ａ）参照）と、スライド用プレート１２２５上に形成されたつまみ部材１２２７と、から構成されている。
【００５９】
スライド用プレート１２２５はスペーサー１２２６に対して取り外し自在である。
【００６０】
図３（Ａ）及び図３（Ｂ）に示すように、開閉蓋部材１２２０は、スペーサー１２２６が蓋本体１２１０の横穴１２０２にはまり込むように、蓋本体１２１０に対して取り付けられる。スペーサー１２２６が横穴１２０２の内部を横穴１２０２に沿ってスライドすることにより、開閉蓋部材１２２０は蓋本体１２１０の内面側において蓋本体１２１０に対してスライドする。
【００６１】
具体的には、開閉蓋部材１２２０は図３（Ａ）に示す第一位置と図３（Ｂ）に示す第二位置との間を蓋本体１２１０に対してスライドする。
【００６２】
第一位置においては、図３（Ａ）に示すように、開閉蓋部材１２２０の傾斜面１２２１は蓋本体１２１０の第一開口部１２０１を塞ぐとともに、垂直面１２２４は容器本体１１００の側壁１１０３の上端１１０３ａからも水平方向において離れて位置している。
【００６３】
第二位置においては、図３（Ｂ）に示すように、開閉蓋部材１２２０の傾斜面１２２１は蓋本体１２１０の第一開口部１２０１から離れ第一開口部１２０１を開放するとともに、垂直面１２２４は容器本体１１００の側壁１１０３の上端１１０３ａ上に位置している。すなわち、第二位置においては、垂直面１２２４は切り欠き部１１０５を塞いでいる。
【００６４】
第二収容室１１０２は、第一収容室１１０１の切り欠き部１１０５と連通し、かつ、蓋本体１２１０の第一開口部１２０１と連通している第二開口部１１０６を有している。図３（Ａ）及び図３（Ｂ）に示すように、第二開口部１１０６は第一開口部１２０１の直下に位置している。
【００６５】
図３（Ａ）に示すように、開閉蓋部材１２２０が第一位置にある場合においては、第一開口部１２０１は開閉蓋部材１２２０の傾斜面１２２１に塞がれているため、第二収容室１１０２の第二開口部１１０６は第一開口部１２０１とは連通していない。
【００６６】
これに対して、開閉蓋部材１２２０が第二位置にある場合においては、図３（Ｂ）に示すように、第一開口部１２０１は開放されているため、第二収容室１１０２の第二開口部１１０６は第一開口部１２０１と連通している。
【００６７】
図７（Ａ）乃至図７（Ｇ）は従来の保存容器１００の使用方法を示す断面図であるが、本実施形態に係る保存容器１０００の使用方法は従来の保存容器１００と比較して相違は僅かであるので、以下、図７（Ａ）乃至図７（Ｇ）を参照して、本実施形態に係る保存容器１０００の使用方法を説明する。
【００６８】
まず、蓋１２００を保存容器本体１１００から外し、第一収容室１１０１の中にのみ食材１３０（例えば、米）を入れる。この際、第二収容室１１０２の中には食材１３０は入れないようにする。
【００６９】
次いで、図７（Ａ）に示すように、保存容器本体１１００に蓋１２００を取り付ける。この段階においては、開閉蓋部材１２２０は図３（Ａ）に示す第一位置に位置させておく。すなわち、第一開口部１２０１は開閉蓋部材１２２０の傾斜面１２２１により塞がれた状態にしておく。
【００７０】
次いで、図７（Ｂ）に示すように、保存容器１０００を傾ける。これにより、食材１３０は第一収容室１１０１から第二開口部１１０６を介して第二収容室１１０２の中に流れ込む。食材１３０は、第二収容室１１０２が食材１３０で満たされる程度まで、第一収容室１１０１から第二収容室１１２の中に移動させる。
【００７１】
次いで、図７（Ｃ）に示すように、保存容器１０００を通常の状態（蓋１２００を上にした状態）に戻す。この状態においては、第二収容室１１０２は食材１３０で満たされている。
【００７２】
次いで、図３（Ｂ）に示すように、開閉蓋部材１２２０を第一位置（図３（Ａ））から第二位置に移動させる。これにより、蓋本体１２１０の第一開口部１２０１が開放されるとともに、切り欠き部１１０５は開閉蓋部材１２２０の垂直面１２２４により閉じられ、第一収容室１１０１と第二収容室１１０２及び第一開口部１２０１との間の連通が遮断される。さらに、第二収容室１１０２は第二開口部１１０６を介して、開放された第一開口部１２０１と連通する。
【００７３】
次いで、図７（Ｆ）に示すように、第二収容室１１０２を下方に傾け、第二収容室１１０２の中の食材１３０を容器１４０に落下させる。
【００７４】
例えば、第二収容室１１０２の容積を一合に設定しておけば、一合の米を容積１４０に移すことができる。
【００７５】
その後、図７（Ｇ）に示すように、保存容器１０００を通常の状態（蓋１２００を上にした状態）に戻す。この状態においては、第一収容室１１０１の中の食材１３０の量は、当初の量（図７（Ａ）の状態における量）と比較して、第二収容室１１０２の容積に対応する量だけ、減少している。
【００７６】
本実施形態に係る保存容器１０００によれば、蓋本体１２１０の第一開口部１２０１は開閉蓋部材１２２０のスライドに応じて開閉する。このため、従来の保存容器１００とは異なり、第一開口部１２０１の周縁において粒状の食材１３０（特に、米）が挟まったまま付着することはなくなり、蓋本体１２１０の第一開口部１２０１を開閉蓋部材１２２０により完全に閉じておくことが可能になる。
【００７７】
（第二の実施形態）
図８は本考案の第二の実施形態に係る保存容器２０００における保存容器本体１１００の第二収容室１１０２のみを示す斜視図である。
【００７８】
本実施形態に係る保存容器２０００においては、第二収容室１１０２の内部において保存容器本体１１００に対して着脱自在に取り付けられる容量調整部材２０１０が用いられる。
【００７９】
図８に示すように、容量調整部材２０１０はブロック状をなしており、その側壁の一つには上下方向に延びる断面が方形の溝２０１２が形成されている。
【００８０】
第二収容室１１０２の内壁には上下方向に延びるレール部材２０１１が取り付けられており、レール部材２０１１は容量調整部材２０１０の溝２０１２に嵌合可能な形状をなしている。容量調整部材２０１０の溝２０１２をレール部材２０１１に嵌め込むことにより、容量調整部材２０１０は第二収容室１１０２の内壁に取り外し可能に取り付けることができる。
【００８１】
容量調整部材２０１０を第二収容室１１０２の内部に取り付けることにより、第二収容室１１０２の内部の容量は容量調整部材２０１０の容量の分だけ減少する。
【００８２】
すなわち、容量調整部材２０１０を第二収容室１１０２の内部に配置すると、第二収容室１１０２の容量Ｖは次の式で表される。
【００８３】
Ｖ＝Ｖ１−Ｖ２
Ｖ１：第二収容室１１０２の本来の容量
Ｖ２：容量調整部材２０１０の容量（体積）
【００８４】
例えば、容量調整部材２０１０の容量を予め計算された容量に等しく設定することにより、第二収容室１１０２の内部の容量を任意の値に設定することが可能である。
【００８５】
容量調整部材２０１０は第二収容室１１０２の内部において保存容器本体１１００に対して取り外し可能に取り付け可能である限りにおいて、取り付け方法は任意である。
【００８６】
また、本実施形態においては、容量調整部材２０１０は第二収容室１１０２の側壁に沿って配置されているが、容量調整部材２０１０を配置する位置も、第二収容室１１０２の内部の位置である限りにおいて、任意に決めることができる。
【００８７】
さらに、本実施形態においては、容量調整部材２０１０はブロック状をなしているが、容量調整部材２０１０の形状はブロック状には限定されない。
【００８８】
図９は容量調整部材２０１０の他の例を示す斜視図である。
【００８９】
図９に示す容量調整部材２０１０はその底面においてプレート２０２０が取り付けられている。プレート２０２０は第二収容室１１０２の横断面（水平方向における断面）と同一形状をなしており、水平面内において第二収容室１１０２に嵌め込むことが可能な形状をなしている。
【００９０】
図９に示す容量調整部材２０１０を第二収容室１１０２の内部に配置すると、第二収容室１１０２の容量Ｖは次の式で表される。
【００９１】
Ｖ＝Ｖ１−Ｖ２−Ｖ３
Ｖ１：第二収容室１１０２の本来の容量
Ｖ２：容量調整部材２０１０の容量（体積）
Ｖ３：プレート２０２０の下方の第二収容室１１０２の容量
【００９２】
このように、図９に示した容量調整部材２０１０によれば、図８に示した容量調整部材２０１０と比較して、第二収容室１１０２の容量をより大きく減少させることができる。
【符号の説明】
【００９３】
１０００  本考案の第一の実施形態に係る保存容器
１１００  保存容器本体
１１０１  第一収容室
１１０２  第二収容室
１１０３、１１０４  側壁
１１０３ａ  側壁の上端
１１０５  切り欠き部
１１０６  第二開口部
１２００  蓋
１２０１  第一開口部
１２０２  横穴
１２１０  蓋本体
１２２０  開閉蓋部材
１２２１  傾斜面
１２２４  垂直面
１２２５  スライド用プレート
１２２６  スペーサー
２０００  本考案の第二の実施形態に係る保存容器
２０１０容量調整部材
２０１１  レール部材
２０１２  溝
【図１】
0003152987.tif 000003
【図２】
0003152987.tif 000004
【図３】
0003152987.tif 000005
【図４】
0003152987.tif 000006
【図５】
0003152987.tif 000007
【図６】
0003152987.tif 000008
【図７】
0003152987.tif 000009
【図８】
0003152987.tif 000010
【図９】
0003152987.tif 000011